(57)【要約】【課題】製造コストの上昇を抑制しつつ個人情報を付与させることができるリストバンドを提供する。【解決手段】弾力を有した環状部材から成り、径方向に拡張して装着者の手首に装着可能なリストバンド本体１と、該リストバンド本体１に取り付けられるとともに、装着者の個人情報を示す表示部材３が貼着された取付手段２とを具備するとともに、取付手段２は、リストバンド本体１の径方向への拡張を許容しつつ当該リストバンド本体１に脱着可能に取り付けられたリストバンドである。【選択図】図１
2013167836.tif 000002
【特許請求の範囲】
【請求項１】
弾力を有した環状部材から成り、径方向に拡張して装着者の手首に装着可能なリストバンド本体と、
該リストバンド本体に取り付けられるとともに、装着者の個人情報が表示された取付手段と、
を具備したことを特徴とするリストバンド。
【請求項２】
前記取付手段は、前記リストバンド本体の径方向への拡張を許容しつつ当該リストバンド本体に脱着可能に取り付けられたことを特徴とする請求項１記載のリストバンド。
【請求項３】
前記取付手段にて表示される個人情報は、個人を特定可能な文字、数字若しくは記号、連絡先情報、又は読み取り機にて読み取り可能なコードから成ることを特徴とする請求項１又は請求項２記載のリストバンド。
【請求項４】
前記取付手段には、前記個人情報を示す表示部材が貼着されたことを特徴とする請求項１〜３の何れか１つに記載のリストバンド。
【請求項５】
前記取付手段は、少なくとも前記表示部材の貼着部位が平面とされたことを特徴とする請求項４記載のリストバンド。
【請求項６】
前記取付手段は、透明又は半透明部材から成るとともに、前記表示部材が当該取付手段の内周面に貼着され、個人情報が外部から透視可能とされたことを特徴とする請求項４又は請求項５記載のリストバンド。
【発明の詳細な説明】
【技術分野】
【０００１】
本発明は、装着者の手首に装着可能なリストバンドに関するものである。
【背景技術】
【０００２】
リストバンドは、弾力を有したシリコン樹脂等の円環状部材から成り、径方向に拡張して装着者の手首に装着可能なものがあり、特に近時においては、特有の色彩や模様等が施されて意匠性に富んだものが提供されるに至っている。このようなリストバンドは、通常、コストを抑制するため大量生産により製造されることから、同一の色彩及び模様等が施されて成るものであった。なお、かかる先行技術は、文献公知発明に係るものでないため、記載すべき先行技術文献情報はない。
【発明の概要】
【発明が解決しようとする課題】
【０００３】
しかしながら、上記従来のリストバンドにおいては、例えば装着者の名前等の個人情報を表示させるためには、大量生産のための製造工程とは別個に個人情報の付与工程が必要となってしまい、その分、製造コストが嵩んでしまうという問題があった。また、リストバンドは、弾力を有した円環状部材から成るので、当該円環状部材に直接個人情報を付与しようとした場合、刻印等の特殊な加工が必要となり、多大な製造コストの上昇が予想される。
【０００４】
ところで、学校や施設内における子供、障害者或いは老人などに個人情報を持たせておき、緊急時や身分証明時に、第三者が当該個人情報を参照して素早い対処を行わせることが考えられている。その場合、個人情報が付与されたリストバンドを装着させるようにすれば、子供や障害者或いは老人でも円滑に装着させることができ、個人情報の参照を確実に行わせることが可能とされる。また、意匠性に富んだリストバンドを利用して個人情報を付与すれば、子供や障害者或いは老人に限らず種々の人に装着させることができる。
【０００５】
本発明は、このような事情に鑑みてなされたもので、製造コストの上昇を抑制しつつ個人情報を付与させることができるリストバンドを提供することにある。
【課題を解決するための手段】
【０００６】
請求項１記載の発明は、弾力を有した環状部材から成り、径方向に拡張して装着者の手首に装着可能なリストバンド本体と、該リストバンド本体に取り付けられるとともに、装着者の個人情報が表示された取付手段とを具備したことを特徴とする。
【０００７】
請求項２記載の発明は、請求項１記載のリストバンドにおいて、前記取付手段は、前記リストバンド本体の径方向への拡張を許容しつつ当該リストバンド本体に脱着可能に取り付けられたことを特徴とする。
【０００８】
請求項３記載の発明は、請求項１又は請求項２記載のリストバンドにおいて、前記取付手段にて表示される個人情報は、個人を特定可能な文字、数字若しくは記号、連絡先情報、又は読み取り機にて読み取り可能なコードから成ることを特徴とする。
【０００９】
請求項４記載の発明は、請求項１〜３の何れか１つに記載のリストバンドにおいて、前記取付手段には、前記個人情報を示す表示部材が貼着されたことを特徴とする。
【００１０】
請求項５記載の発明は、請求項４記載のリストバンドにおいて、前記取付手段は、少なくとも前記表示部材の貼着部位が平面とされたことを特徴とする。
【００１１】
請求項６記載の発明は、請求項４又は請求項５記載のリストバンドにおいて、前記取付手段は、透明又は半透明部材から成るとともに、前記表示部材が当該取付手段の内周面に貼着され、個人情報が外部から透視可能とされたことを特徴とする。
【発明の効果】
【００１２】
請求項１の発明によれば、弾力を有した環状部材から成り、径方向に拡張して装着者の手首に装着可能なリストバンド本体と、該リストバンド本体に取り付けられるとともに、装着者の個人情報が表示された取付手段とを具備したので、製造コストの上昇を抑制しつつ個人情報を付与させることができる。
【００１３】
請求項２の発明によれば、取付手段は、リストバンド本体の径方向への拡張を許容しつつ当該リストバンド本体に脱着可能に取り付けられたので、装着者に対する装着性を維持しつつ個人情報を円滑にリストバンドに付与させることができる。
【００１４】
請求項３の発明によれば、取付手段にて表示される個人情報は、個人を特定可能な文字、数字若しくは記号、連絡先情報、又は読み取り機にて読み取り可能なコードから成るので、個人情報の参照を素早く且つ確実に行わせることができる。
【００１５】
請求項４の発明によれば、取付手段には、個人情報を示す表示部材が貼着されたので、製造コストをより抑制することができるとともに個人情報をより容易に付与させることができる。
【００１６】
請求項５の発明によれば、取付手段は、少なくとも表示部材の貼着部位が平面とされたので、より確実且つ良好に表示部材を取付手段に貼着させることができるとともに、貼着された表示部材の個人情報をより良好に視認させることができる。
【００１７】
請求項６の発明によれば、取付手段は、透明又は半透明部材から成るとともに、表示部材が当該取付手段の内周面に貼着され、個人情報が外部から透視可能とされたので、表示部材が取付手段から剥がれたり或いは破損してしまうのを回避することができる。
【図面の簡単な説明】
【００１８】
【図１】本発明の第１の実施形態に係るリストバンドを示す平面図及び正面図
【図２】同リストバンドにおける取付手段を示す３面図
【図３】図１におけるＩＩＩ−ＩＩＩ線断面図
【図４】本発明の第２の実施形態に係るリストバンドを示す平面図及び正面図
【図５】同リストバンドにおける取付手段を示す３面図
【図６】図４におけるＶＩ−ＶＩ線断面図
【図７】本発明の第３の実施形態に係るリストバンドを示す平面図及び正面図
【図８】同リストバンドにおける取付手段を示す２面図
【発明を実施するための形態】
【００１９】
以下、本発明の実施形態について図面を参照しながら具体的に説明する。
第１の実施形態に係るリストバンドは、装着者が手首に装着可能なもので、図１〜３に示すように、リストバンド本体１と、表示部材３が貼着された取付手段２とから主に構成されている。なお、本実施形態においては、装着者の手首にリストバンド本体１を装着した際、取付手段２の表示部材３が外部に向いて視認可能とされている。
【００２０】
リストバンド本体１は、弾力を有した環状部材から成り、径方向に拡張して装着者の手首に装着可能なもので、本実施形態においては所定幅の帯状部材を環状にして構成されている。また、本実施形態に係るリストバンド本体１は、シリコン樹脂又はゴム材等を円環状に成形して成るものとされており、所望の色彩に着色されるとともに所定の文字或いは模様等が施されている。
【００２１】
取付手段２は、リストバンド本体１に取り付けられるとともに、装着者の個人情報を示す表示部材３が貼着されたもので、本実施形態においては例えば塩化ビニル（ポリ塩化ビニル（ＰＶＣ））等の透明又は半透明樹脂を図２の如くブロック状に成形して成るものとされている。かかる取付手段２は、図２に示すように、その長手方向に亘って取付溝部Ａが形成されており、当該取付溝部Ａの縁部には開口部位２ｂが形成されている。
【００２２】
また、取付手段２の取付溝部Ａにおける天面は、表示部材３を貼着させる貼着部位２ａとされているとともに、本実施形態においては、この貼着部位２ａが平面となっている。本実施形態に係る表示部材３は、その貼着面に接着剤が塗布されており、取付手段２をリストバンド本体１に取り付ける前に貼着部位２ａに接着し得るようになっている。なお、表示部材３を貼着部位２ａに当てがった状態で別個の貼着手段等にて貼着させるようにしてもよい。
【００２３】
さらに、本実施形態に係る取付手段２は、透明又は半透明部材から成るとともに、表示部材３が当該取付手段２の内周面（取付溝部Ａの天面である貼着部位２ａ）に貼着され、個人情報が外部から透視可能とされている。すなわち、本実施形態においては、表示部材３の貼着面に個人情報が表示されており、取付手段２の外部から個人情報が目視可能とされているのである。
【００２４】
表示部材３は、装着者の個人情報が示されたもので、例えば個人を特定可能な文字（名前等）、数字（連絡先の住所や電話番号等）、記号（個人が所属する組織等を示す記号等）又は読み取り機にて読み取り可能なコード（バーコードやＱＲコード（登録商標）等）が表示されたシート状部材から成る。ここで、個人情報とは、個人を特定可能な情報を示しており、その装着者自身の情報の他、保護者や介護者、或いは学校や施設の名称や連絡先等であってもよい。
【００２５】
そして、貼着部位２ａに表示部材３を貼着させた後、開口部位２ｂを左右に撓ませることにより取付溝部Ａの開口を広げ、その取付溝部Ａにリストバンド本体１を挿通させれば、開口部位２ｂが弾力（復元力）により自然と元の位置まで戻るので、図３で示すように、リストバンド本体１に対して取付手段２を嵌合した状態として取り付けることができる。この取付状態においては、取付溝部Ａにリストバンド本体１を嵌合させているので、当該リストバンド本体１の径方向への拡張を許容することができる。
【００２６】
一方、取付手段２がリストバンド本体１に取り付けられた状態において、開口部位２ｂを左右に撓ませることにより取付溝部Ａの開口を広げれば、その取付溝部Ａからリストバンド本体１を容易に取り外すことが可能とされる。このように、本実施形態に係る取付手段２によれば、リストバンド本体１の径方向への拡張を許容しつつ当該リストバンド本体１に脱着可能に取り付けられたので、装着者に対する装着性を維持しつつ個人情報を円滑にリストバンドに付与させることができる。
【００２７】
上記実施形態によれば、弾力を有した環状部材から成り、径方向に拡張して装着者の手首に装着可能なリストバンド本体１と、該リストバンド本体１に取り付けられるとともに、装着者の個人情報を示す表示部材３が貼着された取付手段２とを具備したので、製造コストの上昇を抑制しつつ個人情報を付与させることができる。また、表示部材３には、個人を特定可能な文字、数字、記号又は読み取り機にて読み取り可能なコードが表示されたので、個人情報の参照を素早く且つ確実に行わせることができる。
【００２８】
さらに、取付手段２は、少なくとも表示部材３の貼着部位が平面とされたので、より確実且つ良好に表示部材３を取付手段２に貼着させることができるとともに、貼着された表示部材３の個人情報をより良好に視認させることができる。特に、表示部材３に読み取り機にて読み取り可能なコードが表示されたものの場合、当該コードが透視される貼着部位２ａが本実施形態の如く平面であれば、当該貼着部位２ａが屈曲等しているものに比べ、コードの読み取りを円滑且つ確実に行わせることができる。
【００２９】
またさらに、取付手段２は、透明又は半透明部材から成るとともに、表示部材３が当該取付手段２の内周面に貼着され、個人情報が外部から透視可能とされたので、表示部材３が取付手段２から剥がれたり或いは破損してしまうのを回避することができる。また、表示部材３が当該取付手段２の内周面に貼着されるので、雨水等に曝されてしまうのを抑制することができ、外部環境による経年劣化も抑制することができる。
【００３０】
なお、本実施形態においては、表示部材３の個人情報が取付手段２の貼着部位２ａに接する表面に付与されている（図３参照）が、裏面側（貼着部位２ａに接する面と反対側の面）に付与させるようにしてもよい。この場合、外部から個人情報を直接視認することができないため、犯罪等を目的とした第三者から個人情報を保護することができるとともに、リストバンドを装着者の手首から外せば、当該個人情報を視認させて参照することができる。
【００３１】
次に、本発明に係る第２の実施形態について説明する。
本実施形態に係るリストバンドは、第１の実施形態と同様、装着者が手首に装着可能なもので、図４〜６に示すように、リストバンド本体４と、表示部材６が貼着された取付手段５とから主に構成されている。なお、本実施形態においては、装着者の手首にリストバンド本体４を装着した際、取付手段５の表示部材６が外部に向いて視認可能とされている。
【００３２】
リストバンド本体４は、弾力を有した環状部材から成り、径方向に拡張して装着者の手首に装着可能なもので、本実施形態においては断面が略円形とされた紐状のゴム材（ゴム紐）を環状にして構成されている。なお、かかるゴム紐から成るリストバンド本体４に複数の球状部材やブロック状部材を挿通させて意匠性を向上させたものとしてもよい。また、第１の実施形態の如くシリコン樹脂等を紐状に成形してリストバンド本体４を得るようにしてもよい。
【００３３】
取付手段５は、リストバンド本体４に取り付けられるとともに、装着者の個人情報を示す表示部材６が貼着されたもので、例えば塩化ビニル（ポリ塩化ビニル（ＰＶＣ））等の透明又は半透明樹脂を図５の如くチューブ状に成形して成るものとされている。かかる取付手段５は、図５に示すように、円筒状とされており、一部が長手方向に亘って切欠かれて切欠き部５ａが形成されている。
【００３４】
また、取付手段５の内部における切欠き部５ａと反対側の内周面には、表示部材６が貼着されている。かかる表示部材６は、第１の実施形態と同様、その貼着面に接着剤が塗布されており、取付手段５をリストバンド本体４に取り付ける前に当該取付手段５の内周面に接着し得るようになっている。なお、表示部材６を取付手段５の内周面に当てがった状態で別個の貼着手段等にて貼着させるようにしてもよい。
【００３５】
さらに、本実施形態に係る取付手段５は、透明又は半透明部材から成るとともに、表示部材６が当該取付手段５の内周面に貼着され、個人情報が外部から透視可能とされている。すなわち、第１の実施形態と同様、表示部材６の貼着面に個人情報が表示されており、取付手段５の外部から個人情報が目視可能とされているのである。なお、表示部材６に付与された個人情報は、第１の実施形態と同様のものである。
【００３６】
そして、表示部材６を取付手段５の内周面に貼着させた後、切欠き部５ａを左右に撓ませることにより当該切欠き部５ａの開口を広げ、取付手段５の内部にリストバンド本体４を挿通させれば、切欠き部５ａが弾力（復元力）により自然と元の位置まで戻るので、図６で示すように、リストバンド本体４に対して取付手段５を嵌合した状態として取り付けることができる。この取付状態においては、取付手段５の内部にリストバンド本体４を挿通して嵌合させているので、当該リストバンド本体４の径方向への拡張を許容することができる。
【００３７】
一方、取付手段５がリストバンド本体４に取り付けられた状態において、切欠き部５ａを左右に撓ませることにより当該切欠き部５ａの開口を広げれば、取付手段５の内部からリストバンド本体４を容易に取り外すことが可能とされる。このように、本実施形態に係る取付手段５によれば、リストバンド本体４の径方向への拡張を許容しつつ当該リストバンド本体４に脱着可能に取り付けられたので、装着者に対する装着性を維持しつつ個人情報を円滑にリストバンドに付与させることができる。
【００３８】
上記実施形態によれば、弾力を有した環状部材から成り、径方向に拡張して装着者の手首に装着可能なリストバンド本体４と、該リストバンド本体４に取り付けられるとともに、装着者の個人情報を示す表示部材６が貼着された取付手段５とを具備したので、製造コストの上昇を抑制しつつ個人情報を付与させることができる。また、表示部材６には、個人を特定可能な文字、数字、記号又は読み取り機にて読み取り可能なコードが表示されたので、個人情報の参照を素早く且つ確実に行わせることができる。
【００３９】
またさらに、取付手段５は、透明又は半透明部材から成るとともに、表示部材６が当該取付手段５の内周面に貼着され、個人情報が外部から透視可能とされたので、表示部材６が取付手段５から剥がれたり或いは破損してしまうのを回避することができる。また、表示部材６が当該取付手段５の内周面に貼着されるので、雨水等に曝されてしまうのを抑制することができ、外部環境による経年劣化も抑制することができる。
【００４０】
なお、本実施形態においては、表示部材６の個人情報が取付手段５の内周面に接する表面に付与されている（図６参照）が、裏面側（取付手段５の内周面に接する面と反対側の面）に付与させるようにしてもよい。この場合、外部から個人情報を直接視認することができないため、犯罪等を目的とした第三者から個人情報を保護することができるとともに、リストバンドを装着者の手首から外せば、当該個人情報を視認させて参照することができる。
【００４１】
次に、本発明に係る第３の実施形態について説明する。
本実施形態に係るリストバンドは、第１、２の実施形態と同様、装着者が手首に装着可能なもので、図７、８に示すように、リストバンド本体７と、表示部材９が貼着された取付手段８とから主に構成されている。なお、本実施形態においては、装着者の手首にリストバンド本体７を装着した際、取付手段８の表示部材９が外部に向いて視認可能とされている。
【００４２】
リストバンド本体７は、弾力を有した環状部材から成り、径方向に拡張して装着者の手首に装着可能なもので、本実施形態においては、第１の実施形態と同様、所定幅の帯状部材を環状にして構成されている。また、本実施形態に係るリストバンド本体７は、第１の実施形態と同様、シリコン樹脂又はゴム材等を円環状に成形して成るものとされており、所望の色彩に着色されるとともに所定の文字或いは模様等が施されている。
【００４３】
取付手段８は、リストバンド本体７に取り付けられるとともに、装着者の個人情報を示す表示部材９が貼着されたもので、本実施形態においては例えば金属又は樹脂等を図８の如く矩形の板状にトリミング又は成形したものとされている。かかる取付手段８は、図８に示すように、その両端側に挿通孔８ｂが形成されるとともに、当該挿通孔８ｂから両端縁まで切欠かれて切欠き部８ａがそれぞれ形成されている。
【００４４】
また、取付手段８の表面（リストバンド本体７を装着者の手首に装着した際、外部を向く面）における一対の挿通孔８ｂの間の平面には、表示部材９が貼着されている。かかる表示部材９は、第１、２の実施形態と同様、その貼着面に接着剤が塗布されており、取付手段８の表面に接着し得るようになっている。なお、表示部材９を取付手段８の表面に当てがった状態で別個の貼着手段等にて貼着させるようにしてもよい。しかるに、表示部材９に付与された個人情報は、第１の実施形態と同様のものである。
【００４５】
そして、表示部材９を取付手段８の表面に貼着させた後、切欠き部８ａを介してリストバンド本体７を左右の挿通孔８ｂにそれぞれ挿通させることにより、図７で示すように、リストバンド本体７に対して取付手段８を嵌合した状態として取り付けることができる。この取付状態においては、取付手段８の挿通孔８ｂにリストバンド本体７を挿通して嵌合させているので、当該リストバンド本体７の径方向への拡張を許容することができる。なお、リストバンド本体７に対して取付手段８を取り付けた後、表示部材９を取付手段８の表面に貼着させるようにしてもよい。
【００４６】
一方、取付手段８がリストバンド本体７に取り付けられた状態において、挿通孔８ｂに挿通した部位を捩って切欠き部８ａを介して外部に外すことにより、取付手段８からリストバンド本体７を容易に取り外すことが可能とされる。このように、本実施形態に係る取付手段８によれば、リストバンド本体７の径方向への拡張を許容しつつ当該リストバンド本体７に脱着可能に取り付けられたので、装着者に対する装着性を維持しつつ個人情報を円滑にリストバンドに付与させることができる。
【００４７】
上記実施形態によれば、弾力を有した環状部材から成り、径方向に拡張して装着者の手首に装着可能なリストバンド本体７と、該リストバンド本体７に取り付けられるとともに、装着者の個人情報を示す表示部材９が貼着された取付手段８とを具備したので、製造コストの上昇を抑制しつつ個人情報を付与させることができる。また、取付手段８（本実施形態においては表示部材９）にて表示される個人情報は、個人を特定可能な文字、数字若しくは記号、連絡先情報、又は読み取り機にて読み取り可能なコードから成るので、個人情報の参照を素早く且つ確実に行わせることができる。
【００４８】
以上、本実施形態について説明したが、本発明はこれらに限定されるものではなく、例えば取付手段をリストバンド本体に取り付けた後、当該リストバンド本体に固着させ、取外しが困難とされたものであってもよい。また、本実施形態においては何れも取付手段に個人情報が付与された表示部材を貼着しているが、当該表示部材を他の手段にて固着させたり或いは取付手段に直接、個人情報を付与（例えば刻印等）して表示するようにしてもよい。但し、本実施形態の如く取付手段に個人情報を示す表示部材が貼着されたものとすれば、製造コストをより抑制することができるとともに個人情報をより容易に付与させることができる。
【００４９】
また、取付手段に対して着色し或いは所望の図柄を施すことで使用者の嗜好に応じた任意の意匠を施すようにしてもよい。しかるに、使用者の嗜好に応じた意匠とすることができるとともに、当該取付手段を他の意匠が施されたものに交換することで、リストバンド全体の意匠を任意に変更することができ、アクセサリとしての機能を高めることができる。さらに、取付手段のリストバンド本体に対する取付方法や取付形態は種々のものであってもよい。なお、取付手段の形状及び寸法、及び材質は任意設定することができる。
【産業上の利用可能性】
【００５０】
弾力を有した環状部材から成り、径方向に拡張して装着者の手首に装着可能なリストバンド本体と、リストバンド本体に取り付けられるとともに、装着者の個人情報が表示された取付手段とを具備したリストバンドであれば、外観形状が異なるもの或いは他の機能が付与されたもの等であってもよい。
【符号の説明】
【００５１】
１、４、７  リストバンド本体
２、５、８  取付手段
３、６、９  表示部材
【図１】
2013167836.tif 000003
【図２】
2013167836.tif 000004
【図３】
2013167836.tif 000005
【図４】
2013167836.tif 000006
【図５】
2013167836.tif 000007
【図６】
2013167836.tif 000008
【図７】
2013167836.tif 000009
【図８】
2013167836.tif 000010